【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
入力された入力画像に対して二値化処理を実行することにより、二値画像を生成する二値画像生成手段と、
前記入力画像に対してエッジ抽出処理を実行することにより、エッジ画像を生成するエッジ画像生成手段と、
前記二値画像生成手段で生成された二値画像に対して、領域識別処理を行うことにより第１領域識別結果を取得する第１領域識別手段と、
前記エッジ画像生成手段で生成されたエッジ画像に対して、領域識別処理を行うことにより第２領域識別結果を取得する第２領域識別手段と、
前記第１領域識別手段で取得された第１領域識別結果と前記第２領域識別手段で取得された第２領域識別結果とを統合し、統合領域識別結果を作成する統合手段と、
前記統合手段で作成された統合領域識別結果に含まれる各文字領域に応じて前記入力画像の部分二値化処理を実行することにより、出力二値画像を生成する出力二値画像生成手段と、
を有することを特徴とする画像処理装置。
【請求項２】
前記出力二値画像生成手段は、前記統合手段で作成された統合領域識別結果の各文字領域について、前記第１領域識別結果から統合された文字領域であるか、前記第２領域識別結果から統合された文字領域であるか判別し、
前記第１領域識別結果から統合された文字領域であると判別した場合、当該文字領域に対して非反転二値化処理を実行し、
一方、前記第２領域識別結果から統合された文字領域であると判別した場合、更に、当該文字領域に対して、反転文字領域であるか非反転文字領域であるか判定し、反転文字領域であると判定された場合は当該文字領域に対して反転二値化処理を実行し、非反転文字領域であると判定された場合は当該文字領域に対して非反転二値化処理を実行することを特徴とする請求項１記載の画像処理装置。
【請求項３】
前記統合手段は、前記第１領域識別結果に含まれる文字領域と前記第２領域識別結果に含まれる文字領域とを比較し、重なっている文字領域がある場合、重なり方に応じて前記統合領域識別結果を作成することを特徴とする請求項１記載の画像処理装置。
【請求項４】
前記統合手段は、前記第２領域識別結果に含まれる文字領域が、前記第１領域識別結果に含まれる文字領域を包含し、且つ面積比が予め決められた閾値以上である場合、前記第１領域識別結果に含まれる当該文字領域を前記統合領域識別結果に統合しないことを特徴とする請求項３記載の画像処理装置。
【請求項５】
前記統合手段は、前記第１領域識別結果に含まれる文字領域の一部分と、前記第２領域識別結果に含まれる文字領域の一部分とが重なっており、前記第１領域識別結果に含まれる当該文字領域を囲む４辺の延長線で、当該重なっている前記第２領域識別結果に含まれる文字領域を分割した場合、当該分割された分割文字領域のうち、前記第１領域識別結果に含まれる当該文字領域に重なっていない分割文字領域が最大となる場合の分割文字領域で、当該第２領域識別結果に含まれる文字領域の情報を置換することを特徴とする請求項３又は４のいずれかに記載の画像処理装置。
【請求項６】
前記統合手段は、前記第１領域識別結果に含まれる文字領域と前記第２領域識別結果に含まれる文字領域とが同一の文字領域を抽出したと判断した場合、前記第２領域識別結果に含まれる当該文字領域を前記統合領域識別結果に統合しないことを特徴とする請求項３乃至５のいずれかに記載の画像処理装置。
【請求項７】
入力された入力画像に対して二値化処理を実行することにより、二値画像を生成する二値画像生成手段と、
前記二値画像生成手段で生成された二値画像に対してエッジ抽出処理を実行することにより、エッジ画像を生成するエッジ画像生成手段と、
前記二値画像生成手段で生成された二値画像に対して、領域識別処理を行うことにより第１領域識別結果を取得する第１領域識別手段と、
前記エッジ画像生成手段で生成されたエッジ画像に対して、領域識別処理を行うことにより第２領域識別結果を取得する第２領域識別手段と、
前記第１領域識別手段で取得された第１領域識別結果と前記第２領域識別手段で取得された第２領域識別結果とを統合し、統合領域識別結果を作成する統合手段と、
前記統合手段で作成された統合領域識別結果に含まれる各文字領域に応じて前記二値画像の部分二値化処理を実行することにより、出力二値画像を生成する出力二値画像生成手段と、
を有することを特徴とする画像処理装置。
【請求項８】
二値画像生成手段が、入力された入力画像に対して二値化処理を実行することにより、二値画像を生成する二値画像生成工程と、
エッジ画像生成手段が、前記入力画像に対してエッジ抽出処理を実行することにより、エッジ画像を生成するエッジ画像生成工程と、
第１領域識別手段が、前記二値画像生成工程で生成された二値画像に対して、領域識別処理を行うことにより第１領域識別結果を取得する第１領域識別工程と、
第２領域識別手段が、前記エッジ画像生成工程で生成されたエッジ画像に対して、領域識別処理を行うことにより第２領域識別結果を取得する第２領域識別工程と、
統合手段が、前記第１領域識別工程で取得された第１領域識別結果と前記第２領域識別工程で取得された第２領域識別結果とを統合し、統合領域識別結果を作成する統合工程と、
出力二値画像生成手段が、前記統合工程で作成された統合領域識別結果に含まれる各文字領域に応じて前記入力画像の部分二値化処理を実行することにより、出力二値画像を生成する出力二値画像生成工程と、
を有することを特徴とする画像処理方法。
【請求項９】
二値画像生成手段が、入力された入力画像に対して二値化処理を実行することにより、二値画像を生成する二値画像生成工程と、
エッジ画像生成手段が、前記二値画像生成工程で生成された二値画像に対してエッジ抽出処理を実行することにより、エッジ画像を生成するエッジ画像生成工程と、
第１領域識別手段が、前記二値画像生成工程で生成された二値画像に対して、領域識別処理を行うことにより第１領域識別結果を取得する第１領域識別工程と、
第２領域識別手段が、前記エッジ画像生成工程で生成されたエッジ画像に対して、領域識別処理を行うことにより第２領域識別結果を取得する第２領域識別工程と、
統合手段が、前記第１領域識別工程で取得された第１領域識別結果と前記第２領域識別工程で取得された第２領域識別結果とを統合し、統合領域識別結果を作成する統合工程と、
出力二値画像生成手段が、前記統合工程で作成された統合領域識別結果に含まれる各文字領域に応じて前記二値画像の部分二値化処理を実行することにより、出力二値画像を生成する出力二値画像生成工程と、
を有することを特徴とする画像処理方法。
【請求項１０】
コンピュータを、
入力された入力画像に対して二値化処理を実行することにより、二値画像を生成する二値画像生成手段、
前記入力画像に対してエッジ抽出処理を実行することにより、エッジ画像を生成するエッジ画像生成手段、
前記二値画像生成手段で生成された二値画像に対して、領域識別処理を行うことにより第１領域識別結果を取得する第１領域識別手段、
前記エッジ画像生成手段で生成されたエッジ画像に対して、領域識別処理を行うことにより第２領域識別結果を取得する第２領域識別手段、
前記第１領域識別手段で取得された第１領域識別結果と前記第２領域識別手段で取得された第２領域識別結果とを統合し、統合領域識別結果を作成する統合手段、
前記統合手段で作成された統合領域識別結果に含まれる各文字領域に応じて前記入力画像の部分二値化処理を実行することにより、出力二値画像を生成する出力二値画像生成手段、
として機能させるためのコンピュータプログラム。
【請求項１１】
コンピュータを、
入力された入力画像に対して二値化処理を実行することにより、二値画像を生成する二値画像生成手段、
前記二値画像生成手段で生成された二値画像に対してエッジ抽出処理を実行することにより、エッジ画像を生成するエッジ画像生成手段、
前記二値画像生成手段で生成された二値画像に対して、領域識別処理を行うことにより第１領域識別結果を取得する第１領域識別手段、
前記エッジ画像生成手段で生成されたエッジ画像に対して、領域識別処理を行うことにより第２領域識別結果を取得する第２領域識別手段、
前記第１領域識別手段で取得された第１領域識別結果と前記第２領域識別手段で取得された第２領域識別結果とを統合し、統合領域識別結果を作成する統合手段、
前記統合手段で作成された統合領域識別結果に含まれる各文字領域に応じて前記二値画像の部分二値化処理を実行することにより、出力二値画像を生成する出力二値画像生成手段、
として機能させるためのコンピュータプログラム。
【請求項１２】
請求項１０または１１のいずれかに記載のコンピュータプログラムを格納した、コンピュータ読取り可能な記憶媒体。
【手続補正２】
【補正対象書類名】明細書
【補正対象項目名】００１４
【補正方法】変更
【補正の内容】
【００１４】
ステップＳ２０１では、文書のイメージを原画像１０１として読み込む。原画像１０１の例を図５の５０１に示す。
【手続補正３】
【補正対象書類名】明細書
【補正対象項目名】００２２
【補正方法】変更
【補正の内容】
【００２２】
ステップＳ２０８では、ステップＳ２０３で抽出された領域識別結果１０８とステップＳ２０５で抽出された領域識別結果１０９の２つの領域識別結果を統合し、統合領域識別結果１１１を作成する。